(57)【要約】本発明は、アンテナ（２）に対して送受信器（Ｓ／Ｅ装置）（１、１’、１’’、１’’’）を作動させるための回路配置に関する。この回路配置により、多数のＳ／Ｅ装置を送受信出力の点でほとんど損失なしに、また装置の信号分岐の相互の影響をほとんど伴うことなく作動させることができる。この目的のために共通のアンテナと各Ｓ／Ｅ装置の間に減衰補償用のスイッチングユニット（３、３’、３’’、３’’’）（補償器）が配置されている。補償器の全ての送受信分岐は相互接続ユニット（４）を介してアンテナと接続されている。送信分岐（５、５’、６、６’）はそれぞれ１個のアイソレータ（１５、１５’、１６、１６’）を介在させて受動コンバイナ（９、１１）によって組み合わせられ、コンバイナ内の減衰を補償するために前記分岐の送信増幅器の初期出力が増幅されている。到来信号はスプリッタ（１０、１２）により補償器の各周波数帯の受信分岐（７、７’、８、８’）の全てに分配され、信号の減衰は相互接続ユニットの増幅器によって補償される。相互接続ユニットはデュプレックス分離フィルタ（１３、１４）を有していて、周波数分岐の信号経路を分離できるようになっている。
2006520143.tif 000002
【特許請求の範囲】
【請求項１】
到来信号の受信にも送信信号の放射にも共通に用いられるアンテナ（２）に対して、同時に複数の送受信器（Ｓ／Ｅ装置）（１、１’、１’’、１’’’）を作動させるための回路配置であって、
アンテナ（２）と各Ｓ／Ｅ装置（１、１’、１’’、１’’’）の間にそれぞれ、当該アンテナを対応するＳ／Ｅ装置（１、１’、１’’、１’’’）と接続している高周波ケーブル内に生じる減衰を補償するための補償ユニット（３、３’、３’’、３’’’）が配置されており、
出力増幅器を有する一以上の送信分岐（５、５’、６、６’）と、受信増幅器を有する一以上の受信分岐（７、７’、８、８’）とを備えており、しかもこれらの分岐は、Ｓ／Ｅ装置（１、１’、１’’、１’’’）が信号を受信するか送信するかに応じて、選択回路、又は当該Ｓ／Ｅ装置（１、１’、１’’、１’’’）の送信信号を検知する検知器回路（２１、２１’、２２、２２’）によって切り替えられる送受切替え器又は高周波切替えスイッチ（１９、１９’、２０、２０’）によって、装置側で選択的に信号経路に切り替えられるようにした回路配置において、
補償ユニット（３、３’、３’’、３’’’）の全ての送受信分岐（５、５’、６、６’、７、７’、８、８’）がアンテナ側で相互接続ユニット（４）を介してアンテナ（２）と接続されており、前記相互接続ユニット内で、信号の流れ方向で見て、一周波数帯に属する補償ユニット（３、３’、３’’、３’’’）の送信分岐（５、５’、６、６’）内にある送信増幅器の出口に現れる全ての送信信号は、一個以上の受動組合せ器（９、９ａ、９ｂ、１１）によって組み合わせられてデュプレックス分離フィルタ（１３、１４）に送られ、前記デュプレックス分離フィルタからアンテナ（２）に送られ、且つアンテナ（２）に到来して前記周波数帯に属する補償ユニット（３、３’、３’’、３’’’）の受信分岐（７、７’、８、８’）に送られる受信信号はデュプレックス分離フィルタ（１３、１４）を通り、このデュプレックス分離フィルタ（１３、１４）により送信信号の信号経路から分離されて、増幅器（１７、１８）及びスプリッタ（１０、１２）を介して受信分岐（７、７’、８、８’）内の受信増幅器の入口に送られるようになっており、しかもそれぞれ送信増幅器の出口と、前記送信増幅器と直接接続されている受動組合せ器（９、９ａ、９ｂ、１１）との間に、対応する送信増幅器の送信信号のみを通過させる遮断素子（１５、１５’、１６、１６’）が配置されており、補償ユニット（３、３’、３’’、３’’’）の全ての送信増幅器の出力が、受動組合せ器（９、９ａ、９ｂ、１１）内で生じる送信信号の減衰に応じて増幅されており、さらに受信信号を補償ユニット（３、３’、３’’、３’’’）の受信増幅器に受動的に分配するスプリッタ（１０、１２）において生じる減衰が、前記スプリッタの前段に接続された相互接続ユニット（４）の増幅器（１７、１８）によって補償されることを特徴とする、回路配置。
【請求項２】
デュプレックス分離フィルタ（１３、１４）とアンテナとの間に他のフィルタユニット（２４、２５）が配置されていることを特徴とする、請求項１記載の回路配置。
【請求項３】
補償ユニット（３、３’、３’’、３’’’）が、種々の異なる周波数帯の信号を増幅するために一個のダイプレクサ（２３、２３’）を介して結線された複数の送信分岐（５、６、５’、６’）と受信分岐（７、８、７’、８’）とを有しており、これらの分岐によって増幅された送信信号と、これらの分岐に送られた受信信号とが、それらの周波数帯に応じて種々の異なる周波数分岐を通して相互接続ユニット（４）に送られるようになっており、この場合に他のフィルタユニットの一個以上は周波数帯分離フィルタ（２４）（ダイプレクサ）であり、前記ダイプレクサで相互接続ユニット（４）の種々の異なる周波数分岐を通して送られた送信信号が組み合わせられ、又は受信信号が互いに分離され、しかも相互接続ユニット（４）の各周波数分岐は一個以上の受動組合せ器（９、９ａ、９ｂ、１１）と、デュプレックス分離フィルタ（１３、１４）と、スプリッタ（１０、１２）と、前記スプリッタの前段に接続された増幅器（１７、１８）とからなることを特徴とする、請求項１又は２記載の回路配置。
【請求項４】
相互接続ユニット（４）が二個の周波数分岐を有することを特徴とする、請求項３記載の回路配置。
【請求項５】
前記回路配置が選択的にＧＳＭ９００ネット及び／又はＧＳＭ１８００ネットで作動する複数の移動無線器（１、１’、１’’、１’’’）を駆動するように設計されていることを特徴とする、請求項４記載の回路配置。
【請求項６】
前記回路配置及び場合によってはそのユニットがモジュール構造になっていることを特徴とする、請求項１又は３項記載の回路配置。
【請求項７】
アイソレータ（１５、１５’、１６、１６’）が回路配置のモジュール構造において相互接続ユニット（４）の構成部材であり、しかも送信信号に対する受動組合せ器（９、９ａ、９ｂ、１１）の各入口の前段にアイソレータ（１５、１５’、１６、１６’）が接続されていることを特徴とする、請求項６記載の回路配置。
【請求項８】
補償ユニット（３、３’、３’’、３’’’）の出力増幅器が増幅器基本モジュールによって実現され、前記増幅器基本モジュールが場合によっては高周波ケーブル及び受動組合せ器（９、９ａ、９ｂ、１１）内の減衰の補償に必要な出力を得るために、それぞれの補償ユニット（３、３’、３’’、３’’’）の内部で、周波数帯に対する送信分岐（５、６、５’、６’）を基準にして９０°ハイブリッド（２７、２８）の出口と入口で相互に接続されていることを特徴とする、請求項６記載の回路配置。
【請求項９】
前記回路配置は数に関して２の累乗（組合わせの累乗）に相当する台数のＳ／Ｅ装置（１、１’、１’’、１’’’）（組合せ最大値）を同時に作動させるように設計されており、送信信号用の信号経路内における相互接続ユニット（４）の各周波数分岐が、組合せ最大値から１だけ減じた数の受動組合せ器（９、９ａ、９ｂ、１１）を有しており、前記受動組合せ器は組合せの累乗に相当する数の縦続接続段（Ｉ、ＩＩ）で互いに結線されており、その一方で受信信号用の付属の信号経路のスプリッタ（１０、１２）は前記信号経路を組合せの最大値に相当する数の信号経路に分割し、補償ユニット（３、３’、３’’、３’’’）の数が組合せの最大値に相当しており、しかも各縦続接続段（Ｉ、ＩＩ）において、一個の補償ユニット（３、３’、３’’、３’’’）の各出力増幅器の出力は、それぞれの出力増幅器を介して送られるＳ／Ｅ装置（１、１’、１’’、１’’’）の送信信号の出力を基準にして２倍にされていることを特徴とする、請求項１又は３記載の回路配置。
【請求項１０】
相互接続ユニット（４）のデュプレックス分離フィルタ（１３、１４）若しくはダイプレクサ（２４）とアンテナ（２）との間に高調波フィルタ（２５）が配置されていることを特徴とする、請求項１又は３記載の回路配置。
【請求項１１】
相互接続ユニット（４）のデュプレックス分離フィルタ（１３、１４）若しくはダイプレクサ（２４）とアンテナ（２）との間に、残余の回路部分を静電気放電から保護するＥＳＤ保護ユニット（２６）が配置されていることを特徴とする、請求項１又は３記載の回路配置。
【請求項１２】
高調波フィルタ（２５）及び／又はＥＳＤ保護ユニット（２６）が、回路配置のモジュール構造においてアンテナ側に配置された相互接続ユニット（４）の構成部材であることを特徴とする、請求項１０又は１１記載の回路配置。
【発明の詳細な説明】
【技術分野】
【０００１】
本発明は、ＤＥ１９９１３０６４Ｃ１により公知であり、主請求項の前段部に記載された回路配置に関する。より詳細には、本発明は到来信号の受信にも送信信号の放射にも共通に用いられるアンテナに対して同時に複数の送受信器（Ｓ／Ｅ装置）を作動させるための回路配置に関する。更に本発明は、アンテナと各Ｓ／Ｅ装置の間にそれぞれ、当該アンテナを対応するＳ／Ｅ装置と接続している高周波ケーブル内に生じる減衰を補償するためのスイッチングユニット（保障ユニット）が配置されている回路配置に関する。
【背景技術】
【０００２】
自動車内では、例えば移動無線器はハンズフリー装置と高周波ケーブルを通して自動車に設けた外部アンテナと接続されている。これは一方では、送信時にそのような移動無線器から出る放射を運転手から遠ざける働きをする。他方では、自動車がファラデー箱として作用することから、外部アンテナを使用することにより到来信号の受信を改善できる。しかし移動無線器若しくはハンズフリー装置を外部アンテナと接続している高周波ケーブル内で、信号の望しくない減衰が生じる。従って、移動無線における性能仕様の許容される誤差は狭いので、それにより送信時及び／又は受信時に問題が生じる恐れがある。これに対処するために、発生する減衰を補償するためのユニット、いわゆる補償ユニットとして働く補償器を移動無線器とアンテナとの間に配置することが知られている。これは特殊な増幅ユニットであり、出力増幅器を有する一以上の送信分岐と、受信増幅器を有する一以上の受信分岐とを備えている。好ましくは、接続された移動無線器から出る送信信号を検知することに基づく切替えコンポーネントによって、補償器の送信分岐又は受信分岐が選択的に信号経路に切り替えられる。場合によってはこのような装置はマルチバンド対応である。この場合、装置は複数の送受信分岐を備えており、送信信号若しくは受信信号はその特定の周波数帯への従属関係に応じて、いわゆるダイプレックスフィルタにより、対応する周波数帯用に設計された送信分岐若しくは受信分岐に送られる。このような減衰補償のための回路配置は、例えば冒頭に記載したＤＥ１９９１３０６４Ｃ１により開示されている。
【０００３】
【特許文献１】ＤＥ１９９１３０６４Ｃ１
【０００４】
通信インフラストラクチャーがますます拡大し、情報需要が絶えず増大し、テレマティックサービスの利用が増えていることに関連して、例えば自動車内ではデュアルバンド若しくはマルチバンド対応の移動無線器だけでなく、場合によって複数の送受信器も同時に作動されるようにした開発が目立っている。しかしこの場合、このように複数のＳ／Ｅ装置に対してそれぞれ追加の外部アンテナを自動車に設けることは望ましくない。それゆえそのような複数の装置若しくはそれらに付属する端末装置（例えばハンズフリー装置）の送受信分岐が共通のアンテナにまとめられる。知られている限り、これは従来技術における、いわゆる受動コンバイナとスプリッタによって行われ、そこで装置の送信信号が組み合わせられるか、又は装置に固有の受信信号が分配される。Ｓ／Ｅ装置が同じ周波数帯で作動する装置である場合、例えば送信信号を共通アンテナに組合せることは、いわゆるλ／４線からなるスター構造を介して行われる。λ／４線は所定の信号遅延と、従って、当該線を通過する信号の位相ずれを引き起こし、またある装置の送信分岐から別の送信分岐に送信信号が漏れるという望まれない現象が、ウェーブの消滅によってほぼ防止されるように相互接続される。このようにすることによって、例えば２台のＧＳＭ装置を組み合わた場合において、装置の相互の影響を防止するために、これらの装置の間で約３０ｄＢの減衰が達成される。しかしこれは具体的な送信事例においては、まだ満足すべきものではない。更に上述の構造では、実効信号には少なくとも３ｄＢの損失が生じる。即ち、ＧＳＭ９００から最初に放射された出力２Ｗのうち、アンテナに到達する送信出力は最大１Ｗである。さらに不利なのは、λ／４線の構造は、ＧＳＭ９００帯域又はＧＳＭ１８００帯域のいずれかで作動する、いわゆるデュアルバンド携帯電話の駆動には適していない点である。なぜならば、信号の波長を基準とするＧＳＭ９００帯域のλ／４線は、ＧＳＭ１８００帯域とそのより短い波長を基準とすればλ／２線として作用するからである。従って、そのような構造に案内される２台のＳ／Ｅ装置の信号経路の間でのウェーブ消滅に基づく減衰は、上述の配置によってはＧＳＭ９００とＧＳＭ１８００に対して同時に達成されない。
【発明の開示】
【発明が解決しようとする課題】
【０００５】
本発明の課題は、複数のＳ／Ｅ装置を送受信出力の点でほとんど損失なしに、共通アンテナに対して複数のＳ／Ｅ装置を作動させることを可能にする回路配置を提供することである。そのうえ複数の装置の信号分岐の相互の影響を回避する。さらに好適な設計において、回路装置は種々の異なる周波数帯で作動する複数の装置の作動を可能にする。
【課題を解決するための手段】
【０００６】
上述の課題は主請求項の特徴部に記載した特徴を有する回路配置によって解決される。本発明の有利な構成若しくは拡張が従属請求項に記載されている。
【０００７】
提案された回路配置では、共通アンテナに対して複数のＳ／Ｅ装置を同時に作動させるために、当該アンテナをそれぞれのＳ／Ｅ装置と接続している高周波ケーブル内に発生する減衰を補償するための回路配置（補償ユニット−補償器）が自体公知の様式で配置されている。補償器は出力増幅器を有する一以上の送信分岐と、受信増幅器を有する一以上の受信分岐とを備えており、これらの分岐はＳ／Ｅ装置が信号を受信するか、又は送信するかに応じて、選択的に信号経路に切り替えられる。これは装置側において、やはり公知の様式で、選択回路又は当該Ｓ／Ｅ装置の送信信号を検知する検知器回路により切り替えられる送受切替え器又は高周波切替えスイッチを用いて行われる。しかしながら本発明では補償ユニット若しくは補償器の全ての送受信分岐は、特殊な相互接続ユニットを介してアンテナと接続されており、当該相互接続ユニット内で、信号の流れ方向で見て、一周波数帯に属する補償器の送信増幅器の出口に現れる全ての送信信号は、一個以上の受動組合せ器（以下、受動コンバイナとも言う）によって組み合わされてデュプレックス分離フィルタに送られ、当該デュプレックス分離フィルタから場合によって設けられる別のフィルタユニットを通ってアンテナに送られる。アンテナに到来して同じ周波数帯に属する補償器の受信分岐に送られる受信信号は、場合によって設けられる別のフィルタユニット及びデュプレックス分離フィルタを通り、このデュプレックス分離フィルタにより送信信号の信号経路から分離されて、増幅器及びスプリッタを介して受信増幅器の入口に送られる。この場合、送信分岐に関しては、送信増幅器の出口と、当該送信増幅器と直接接続されている相互接続ユニットの受動コンバイナとの間に、対応する送信増幅器の送信信号のみを通過させる遮断素子（アイソレータ）が配置されている。さらに補償器の全ての送信増幅器の出力は、当該補償器の後段に設けられた受動コンバイナ内で発生する送信信号の減衰に応じて増幅されている。受動コンバイナ内で生じる減衰を補償ユニットのそれぞれの送信増幅器において別個に補償し、またアイソレータを使用することにより、個々の補償ユニットの信号経路の間の相互変調、即ち出力増幅器若しくは送信増幅器の出口が他の送信分岐の増幅された送信信号によって影響されることが確実に防止される。しかしこのような手段は到来する受信信号については必要ない。それゆえ、受信信号を補償器の受信増幅器に受動的に分配するスプリッタで生じる減衰は、スプリッタの前段に接続されており、且つある周波数帯の全ての受信分岐に共通に作用する、相互接続ユニットの増幅器によって補償される。上述の構造によりこの回路配置はデュプレックス対応であり、しかもこの回路で作動させられるＳ／Ｅ装置自体がデュプレックス対応であるか否かに関わりない。このようにすることによって、一台以上のＳ／Ｅ装置が送信する一方で、同時に他のＳ／Ｅ装置が同じ回路配置を通して受信することが可能である。
【０００８】
本発明による回路配置の更なる好適な態様においては、補償器は装置側に、即ちＳ／Ｅ装置の側に向かって、ダイプレクサを介して結線された、種々の異なる周波数帯を増幅するための送受信分岐を有する。この場合、相互接続ユニットもそれに従って構成されており、補償器により増幅された送信信号及び補償器に送られた受信信号は、それらの周波数帯に応じて種々の異なる周波数分岐を通って相互接続ユニットに送られる。この構成によれば、アンテナに向かって一個以上の相互接続ユニットのデュプレックス分離フィルタの後段に配置されているフィルタユニットの一個以上は、いわゆるダイプレクサと呼ばれる周波数帯分離フィルタである。このダイプレクサによって、相互接続ユニットの種々の異なる周波数分岐を通して送られる送信信号が、さらにアンテナに送られる前に互いに組み合わせられ、同様に到来する受信信号は互いに分離される。しかもこの構成形態において、本発明による回路配置の基本的な説明中に挙げた相互接続ユニットのコンポーネントが、各々の周波数分岐に対して存在している。これに従い、相互接続ユニットの各周波数分岐は、受動コンバイナ、デュプレックス分離フィルタ、スプリッタ及び当該スプリッタの前段に接続された増幅器の一以上からなる。ダイプレクサを、外部の（例えば相応に構成された、即ち切替え可能な移動無線器）によって制御される切替えスイッチに置き換えることも原則的に考えられる。この回路配置によって原則的に種々の異なる周波数帯で作動するＳ／Ｅ装置を作動できるが、この場合、同時に作動できるのは常に一つの周波数帯で作動する装置に限られるという制限が生じる。
【０００９】
実用的な構成形態において、相互接続ユニットは２つの周波数分岐を有する。これらの周波数分岐は、当該回路配置が種々の異なる周波数帯のネットで使用される複数の移動無線器の作動に適するように設計されている。従って、今日ほとんどの移動無線に使われているＧＳＭスタンダードに関して言えば、この回路配置によって、例えば選択的にＧＳＭ９００ネット及び／又はＧＳＭ１８００ネットで作動する複数の移動無線器（携帯電話等）を１台のアンテナで作動できる。
【００１０】
回路配置及び場合によっては上述した付属ユニット、特に補償器及び相互接続ユニットがモジュール構造になっていることが好ましい。このようなモジュール構成において、出力増幅器の出口と受動コンバイナとの間で、好ましくは相互接続ユニットを実現するモジュールにアイソレータが組み込まれている。この場合、アイソレータは送信信号に対する受動コンバイナの各入口の前段に接続されている。
【００１１】
さらに、回路配置の有利な構成形態においては、補償ユニットの出力増幅器が市販の増幅器基本モジュールで実現できるようになっている。送信出力がＧＳＭ９００ネットでは２Ｗ、ＧＳＭ１８００ネットでは１ＷのＧＳＭスタンダードの要件と、一個以上の受動コンバイナにおいて発生する減衰を補償するために出力を高めるという必要性に鑑み、出力４Ｗ若しくは２Ｗの基本モジュールの使用が考慮される。回路配置に設けられた最大数のＳ／Ｅ装置を作動させ、またそれらと連携する相互接続ユニットを具体的に構成するために必要である限り、そのような基本モジュールを適切に相互に接続することによって相応の出力を達成できる。この場合は、本発明の可能な構成によれば、ある周波数帯に対する送信増幅器がそれぞれ補償ユニットの内部で、いわゆる９０°ハイブリッドの出口と入口で相互に接続される。
【００１２】
本発明の実用的な実施形態においては、この回路配置によって１台のアンテナに対して最大限作動可能なＳ／Ｅ装置の数に関して、そのために必要なコンポーネントの数、特に受動コンバイナの数を所定の階層化によって増加させるようにする。それによると回路配置は、数に関して２の累乗（組合わせの累乗）に相当する台数のＳ／Ｅ装置（組合せ最大値）を常に同時に作動させるように設計されている。これは、回路配置が２、４、８台等のＳ／Ｅ装置を同時に作動させるように設計されていることを意味する。従って、そのような階層化に準拠した本発明による回路配置の構成形態によって、例えば６台のＳ／Ｅ装置を作動させようとするならば、この目的のために最大８台のＳ／Ｅ装置の作動を可能にする構成形態が使用されるであろう。この場合、送信信号に対する送信経路内にある相互接続ユニットの各周波数分岐は、組合せ最大値から１だけ減じた数の受動コンバイナ（つまり最大８台のＳ／Ｅ装置を作動させるために７台の受動コンバイナ）を有している。これらの受動コンバイナは組合せの累乗に相当する数の縦続接続段（つまり再び最大８台のＳ／Ｅ装置を作動させるとすると、３縦続接続段、即ち２３＝８）で互いに結線されている。その一方で受信信号用の付属の信号経路のスプリッタは、この信号経路を組合せの最大値に相当する数の信号経路に分割する。受動コンバイナの数の方が多いために（この点と縦続に関する詳細は実施形態参照）、これらのコンバイナで発生するＳ／Ｅ装置の送信出力の減衰は必然的に増加する。従って、補償器の出力増幅器の出力は十分に高めなければならない。即ち、好ましくは、各コンバイナ段又は縦続接続段について補償ユニットの各出力増幅器の出力は、それぞれの出力増幅器を介して送られるＳ／Ｅ装置の送信信号の出力を基準にして２倍にされる。
【００１３】
既に言及したように、相互接続ユニットのデュプレックス分離フィルタ（或いはマルチバンド対応構成の場合はダイプレクサ）とアンテナとの間に配置される別のフィルタユニットは、例えば高調波フィルタである。さらに、デュプレックス分離フィルタ若しくはダイプレクサとアンテナとの間に、残余の回路部分を静電気放電から保護するＥＳＤ保護ユニットが配置されていることが好ましい。本発明による回路配置のモジュール構造において、高調波フィルタ及び／又はＥＳＤ保護ユニットは、相互接続ユニットを構成するモジュールの、アンテナ側に配置された構成部材であることが好ましい。
【発明を実施するための最良の形態】
【００１４】
以下に、本発明を実施形態に基づいて再度詳細に説明する。
【００１５】
図１は、本発明による回路配置の概略的なブロック回路図を示す。これは１台のアンテナ２に対して２台のＳ／Ｅ装置１、１’を一緒に作動させるための実施形態である。従来技術で公知のように、各Ｓ／Ｅ装置１、１’とアンテナ２との間に、Ｓ／Ｅ装置１、１’をアンテナ２と接続している高周波ケーブル内に生じる減衰を補償するための補償ユニット３、３’が設けられている。図示の例においては、デュアルバンド対応補償器３、３’であり、ＧＳＭ９００帯域とＧＳＭ１８００帯域のいずれでも作動を可能にする。両補償器３、３’の全ての送受信分岐５、５’、６、６’、７、７’、８、８’は、相互接続ユニット４につながっている。相互接続ユニット４については図２に基づいて詳細に説明する。
【００１６】
図２には、図１の回路配置を同様にブロック回路図として示したが、やや詳細に表現されている。この図では補償器３、３’のコンポーネントもやや詳細に示されている。図２より両補償器３、３’がいわゆるデュアルバンド補償器であることが分かる。デュアルバンド補償器は、デュアルバンド携帯電話の作動か、又はＧＳＭ９００携帯電話若しくはＧＳＭ１８００携帯電話１、１’の選択的な作動を可能にする。そのために送受信信号は装置側でダイプレクサ２３、２３’を通して送られる。ダイプレクサ２３、２３’は、送信時にＧＳＭ９００送信信号が補償器３、３’の４ワット増幅モジュールに送られ、ＧＳＭ１８００信号がその２ワットモジュールに送られることを確実にする。補償器３、３’の増幅モジュールの給電線には、それぞれ高周波切替えスイッチ１９、１９’、２０、２０’が配置されている。これらの高周波切替えスイッチは、送信信号が発生すると検知器２１、２１’、２２、２２’によって送信分岐５、５’、６、６’に切り替えられる。図においては、補償器３、３’の全ての高周波切替えスイッチ１９、１９’、２０、２０’が、それらの受信分岐 ７、７’、８、８’が信号経路に接続するように切り替えられている。これは回路配置の基本状態に対応しており、ＧＳＭ９００信号であるかＧＳＭ１８００信号であるかにかかわらず、到来信号を受信する用意ができている。既に説明したように、送信分岐５、５’、６、６’への切替えは、それぞれ送信信号を検知した場合にしか行われない。送信信号が出てこないと、付属の高周波切替えスイッチ１９、１９’、２０、２０’は直ちに再び基本状態に移行する。両補償器３、３’のそれぞれの送信分岐５、５’、６、６’、即ち一方ではＧＳＭ９００帯域に対する送信分岐５、５’、他方ではＧＳＭ１８００帯域に対する送信分岐６、６’は、出口側でそれぞれ受動コンバイナ９、１１につながっている。従来技術により公知のように、受動コンバイナでは信号分岐の組合せが行われるだけである。ここで生じる減衰を補償するために、補償器３、３’の送信分岐５、５’、６、６’内に設けた出力増幅器の出力は相応に高められていることが分かる。これによるとＧＳＭ９００帯域に対する送信増幅器の出力は本来必要とされる２Ｗではなく４Ｗであり、ＧＳＭ１８００分岐の出力は必要とされる１Ｗではなく２Ｗである。両補償器３、３’の同じ周波数帯の送信分岐５、５’、６、６’の間で混信を防止するために、送信増幅器の出口と、これに接続されている受動コンバイナ９、１１との間に、特殊な遮断フィルタ１５、１５’、１６、１６’、いわゆるアイソレータが配置されている。アイソレータは、上述した本発明の構成形態によれば、相互接続ユニット４の構成部材であってもよく、或いは図示の例のように、出力増幅器の出口のすぐ後方に配置してもよい。送信信号は受動コンバイナ９、１１で組み合わせられて、コンバイナから回路配置のデュプレックス性を可能にするデュプレックス分離フィルタ１３、１４と、別のフィルタユニット２４、２５を通ってアンテナ２に送られる。これとは逆の方向でアンテナ２に到来する受信信号はフィルタユニット２５、２４を通ってデュプレックス分離フィルタ１３、１４に送られ��ここからスプリッタ１０、１２を介して補償器３、３’の受信増幅器に分配される。これにより到来する受信信号は、図面に略示されている両Ｓ／Ｅ装置（携帯電話）１又は１’の一方が送信動作中でない限り、その周波数帯にかかわらず、Ｓ／Ｅ装置１、１’と接続するために設けられた、回路配置の両高周波差込継手若しくはプラグコネクタに印加される。もちろんスプリッタ１０、１２によっても受信経路内で信号の減衰は引き起こされる。しかしこの減衰は、両補償器３、３’に対して共通の増幅器１７、１８によって、送信経路５、５’、６、６’とは異なる方法で補償され得る。図面から分かるように、この増幅器はそれぞれのスプリッタ１０、１２の前段に接続されている。
【００１７】
図１及び図２で２台のＳ／Ｅ装置１、１’の作動について示された本発明による回路配置は、基本的には、２台より多くのＳ／Ｅ装置１、１’、１’’、１’’’の作動に対するように変更できる。図３に、２台より多くのＳ／Ｅ装置の作動のために使用するという観点から、本発明による回路配置の可能な変更を概略的に示す。請求項及び本発明による解決の説明において記されているように、補償器３、３’、３’’、３’’’の送信分岐は１台以上の受動コンバイナによって組み合わされる。それゆえ図３は、図２に示す回路配置の一部、より正確に言えばコンバイナ９、９ａ、９ｂの範囲の設計を表現したものである。この表現は、好適な変形態様において最大４台のＳ／Ｅ装置１、１’、１’’、１’’’を作動させるための本発明による回路配置の構成に関するものである。この構成により、補償器の送信分岐はそれぞれ対を成すように組み合わされる。これは、複数の受動コンバイナ９、９ａ、９ｂを複数のレベルで縦続することによってなされる。ここから明らかになるのは、この変形態様に従い最大限作動させ得るＳ／Ｅ装置１、１’、１’’、１’’’を２倍にする度に、コンバイナの別のレベルが必要となり、それに応じてコンバイナ自体の数が増すということである。同時に、本実施態様は最大限作動させ得るＳ／Ｅ装置１、１’、１’’、１’’’の数は、２の累乗によって段階的に増加することも認識される。これは即ち、例えば６台のＳ／Ｅ装置を作動させたい場合には、最大８台のＳ／Ｅ装置を作動できる本発明による回路配置の実施態様が必要とされるということを意味する。この場合、受動コンバイナ９、９ａ、９ｂの必要な縦続接続段Ｉ、ＩＩの数は、それぞれの２の累乗に相当する。つまり、２台、即ち２１のＳ／Ｅ装置の駆動は各周波数分岐について１台の受動コンバイナを要求するが、最大４台のＳ／Ｅ装置の駆動は計３台の受動コンバイナからなる２列の縦続を要求するというように続く。これとの関連において図４は、図１に示すブロック回路図を再度４台のＳ／Ｅ装置１、１’、１’’、１’’’を作動させるための回路配置の構成形態を示す。
【００１８】
既に述べたように、作動されるＳ／Ｅ装置１、１’’の数が増加すると補償器３、３’の送信分岐５、５’、６、６’内の出力増幅器の必要な送信出力も増大する。これは必要なコンバイナ９、９ａ、９ｂ、１１の数の増加と、それに基づく当該回路部分における減衰の増加を伴う。そのため各コンバイナ段の減衰を少なくとも３ｄＢと仮定すると、出力増幅器の出口で２台の補償器３、３’を組み合わせるためにはＧＳＭ９００帯域では４Ｗの出力が必要とされ、ＧＳＭ１８００帯域の場合は２Ｗの出力が必要とされる。従って、最大４台のＳ／Ｅ装置１、１’、１’’、１’’’に必要な出力は、ＧＳＭ９００帯域では８Ｗに増加し、ＧＳＭ１８００帯域では４Ｗに増加する。コンポーネントをモジュール状に構成した本発明の好適な実施形態によれば、この増幅器出力を提供するために出力２Ｗの標準モジュールを使用する。以上の考察に従い、場合によって必要となる４Ｗ、８Ｗ、さらには１６Ｗというより高い出力を達成するためには、相応の数の標準モジュールを組み合わせる。これはいわゆる９０°ハイブリッド２７、２８によって行われる。このことは、基本モジュールからなる出力増幅器を備えた送信分岐５、図５によって視覚的に示す。
【００１９】
既に何度か言及したλ／４線のスター結線に関して、従来技術による公知の方法を再度図６に示す。これによると例えば２本の送信分岐は、２本のλ／４線によってまとめられ、例えば１００オームの抵抗Ｒを通して互いに接続されることによって組み合わせられる。この場合、両分岐の間で抵抗を介して波が直接伝達され、また、位相をずらすように作用するλ／４線を介して１８０°位相がずれた電波が伝達される。これはそれぞれ送信分岐の接続点において電波の消滅を招き、両分岐の相互絶縁を生じさせるので、場合によってはある送信分岐から別の送信分岐に移行する信号が約３０ｄＢ減衰される。受動的にのみ作用する回路配置が有する不十分な点については既に説明したが、それらは本発明による回路配置によって解決される。
【図面の簡単な説明】
【００２０】
【図１】本発明に係る回路配置の概略的なブロック回路図を示す。
【図２】図１の回路配置のより詳細なブロック回路図を示す。
【図３】４台の送受信器を作動させるように構成された図２の回路配置の一部を示す。
【図４】４台の送受信器を作動させるように構成された図１のブロック回路図を示す。
【図５】総出力を増加させるための補償器を構成する２つの基本モジュールの送信分岐の相互接続回路を示す。
【図６】従来技術のλ／４線を用いた信号経路の組合せを示す。
【符号の説明】
【００２１】
１、１’、１’’、１’’’  送受信器（Ｓ／Ｅ装置）
２  アンテナ
３、３’、３’’、３’’’  補償ユニット（補償器）
４  相互接続ユニット
５、５’  出力増幅器を有する送信分岐
６、６’  出力増幅器を有する送信分岐
７、７’  受信増幅器を有する受信分岐
８、８’  受信増幅器を有する受信分岐
９、９ａ、９ｂ  受動組合せ器（コンバイナ）
１０  スプリッタ
１１  受動組合せ器（コンバイナ）
１２  スプリッタ
１３、１４  デュプレックス分離フィルタ
１５、１５’  アイソレータ
１６、１６’  アイソレータ
１７、１８  増幅器
１９、１９’  高周波切替えスイッチ
２０、２０’  高周波切替えスイッチ
２１、２１’  検知器回路
２２、２２’  検知器回路
２３、２３’  ダイプレクサ
２４  ダイプレクサ
２５  高調波フィルタ
２６  ＥＳＤ保護ユニット
２７、２８  ９０°ハイブリッド
【図１】
2006520143.tif 000003
【図２】
2006520143.tif 000004
【図３】
2006520143.tif 000005
【図４】
2006520143.tif 000006
【図５】
2006520143.tif 000007
【図６】
2006520143.tif 000008
【国際調査報告】
2006520143.tif 000009
2006520143.tif 000010
2006520143.tif 000011
2006520143.tif 000012
2006520143.tif 000013
2006520143.tif 000014